(57)【要約】  本発明は、屋外駐車場用ＬＥＤ照明装置に関し、屋外駐車場の駐車区域ごとに設置されるＬＥＤ照明装置を提供する。上記ＬＥＤ照明装置は、駐車区域を照明する主照明部と、上記主照明部とは別途設けられて上記駐車区域の駐車可能な駐車面数の範囲によって異なるカラーを表示する補助照明部と、上記駐車区域を撮影して駐車可能な駐車面数を検出するカメラとを含む。本発明は、設置された周辺の駐車区域を撮影して駐車可能な駐車面があるかを確認してその駐車面の数を確認し、照明のための主照明部外に、駐車面の数によって異なるカラーを表示するようにする補助照明部を設けて、ＬＥＤ照明装置が設置された駐車区域に駐車が可能であるか否かを表示すると共に駐車が可能な車両の数を範囲別に異なるカラーで表示し、利用者が駐車可能な区域を容易に確認することができるようにする効果がある。
2016531411.tif 000002
【特許請求の範囲】
【請求項１】
屋外駐車場の駐車区域ごとに設置されるＬＥＤ照明装置であって、
前記ＬＥＤ照明装置は、
駐車区域を照明する主照明部と、
前記主照明部とは別途設けられて前記駐車区域の駐車可能な駐車面数の範囲によって異なるカラーを表示する補助照明部と、
前記駐車区域を撮影して駐車可能な駐車面数を検出するカメラと、
を含むことを特徴とする屋外駐車場用ＬＥＤ照明装置。
【請求項２】
前記カメラにより撮影された映像を周期的に受信し、基準映像と比較して駐車可能な駐車面数を判定して、前記補助照明部を制御する照明制御部に認識させる駐車面判定部をさらに含むことを特徴とする請求項１に記載の屋外駐車場用ＬＥＤ照明装置。
【請求項３】
前記カメラにより撮影された映像を中央制御室に伝送し、前記中央制御室で判定した前記駐車区域の駐車可能な駐車面数の情報を前記補助照明部を制御する照明制御部に伝達する通信部をさらに含むことを特徴とする請求項１に記載の屋外駐車場用ＬＥＤ照明装置。
【請求項４】
前記カメラを回転させて、前記駐車区域の全体を撮影できるようにするカメラ駆動部をさらに含むことを特徴とする請求項２又は３に記載の屋外駐車場用ＬＥＤ照明装置。
【請求項５】
電気料金が安い時間帯に充電を実行する充電バッテリー及び充電制御部をさらに含むことを特徴とする請求項２又は３に記載の屋外駐車場用ＬＥＤ照明装置。
【請求項６】
発電を実行して前記充電バッテリーに充電を実行する発電部をさらに含むことを特徴とする請求項５に記載の屋外駐車場用ＬＥＤ照明装置。
【請求項７】
前記発電部は、太陽光発電装置または風力発電装置であることを特徴とする請求項６に記載の屋外駐車場用ＬＥＤ照明装置。
【請求項８】
移動通信端末機の通信をサポートするための基地局装置部をさらに含むことを特徴とする請求項６に記載の屋外駐車場用ＬＥＤ照明装置。
【発明の詳細な説明】
【技術分野】
【０００１】
本発明は、屋外駐車場用ＬＥＤ照明器具に関し、屋外公演会場、野球場、サッカー場、テーマパーク、遊園地などの屋外駐車場の区域ごとに設置され、該当区域の駐車の可否を表示する屋外駐車場用ＬＥＤ照明器具に関する。
【背景技術】
【０００２】
一般的に、最近レジャー、スポーツに対する関心が高まって、余暇時間の増加によって野球場やサッカー場、陸上総合競技場など、運動競技場及び遊園地又は屋外公演会場などを訪問する人々が増加している。
【０００３】
上述した施設は、収容人員に比例して屋外駐車場施設を揃えている。このような屋外駐車場施設の問題点は、観覧時間に多少遅く到着した人々は駐車された車両のために駐車可能な空間を発見しにくいということであり、特に夜間には駐車可能空間を肉眼で発見することが容易でない。
【０００４】
もちろん、韓国登録特許公報１０−１２４３８８１号（駐車誘導システム）のように駐車場に進入した車両を駐車可能な駐車面へ案内する技術が公開されているが、これは室内のように限定された空間では可能でありえるが、大型の屋外駐車場に適用するにはセンサの設置及び維持が難しく、各車両の番号と駐車面をマッチングさせ案内することは事実上不可能である。
【０００５】
したがって、現在の市場では、屋外駐車場の特定区域に駐車が可能であるか否かを表示できる手段が要求されている。
【先行技術文献】
【特許文献】
【０００６】
【特許文献１】韓国登録特許公報１０−１２４３８８１号公報
【発明の概要】
【発明が解決しようとする課題】
【０００７】
本発明の目的は、少なくとも上述した問題点及び／又は不都合に取り組み、少なくとも以下の便宜を提供することにある。すなわち、本発明の目的は、屋外駐車場で区域別駐車の可否を表示し、駐車空間を探す時間を短縮できる屋外駐車場用ＬＥＤ照明装置を提供することにある。
【０００８】
本発明の他の目的は、屋外駐車場を常時監視して、事故の予防または事故の証拠資料を確保することができる屋外駐車場用ＬＥＤ照明装置を提供することにある。
【０００９】
本発明のさらに他の目的は、電力の消費量を最小化し得る屋外駐車場用ＬＥＤ照明装置を提供することにある。
【課題を解決するための手段】
【００１０】
上記のような課題を解決するための本発明の屋外駐車場用ＬＥＤ照明装置は、屋外駐車場の駐車区域ごとに設置されるＬＥＤ照明装置を提供する。上記ＬＥＤ照明装置は、駐車区域を照明する主照明部と、上記主照明部とは別途設けられて上記駐車区域の駐車可能な駐車面数の範囲によって異なるカラーを表示する補助照明部と、上記駐車区域を撮影して駐車可能な駐車面数を検出するカメラとを含む。
【発明の効果】
【００１１】
本発明の屋外駐車場用ＬＥＤ照明装置は、設置された周辺の駐車区域を撮影して駐車可能な駐車面があるかを確認してその駐車面の数を確認し、照明のための主照明部外に、駐車面の数によって異なるカラーを表示するようにする補助照明部を設けて、ＬＥＤ照明装置が設置された駐車区域に駐車が可能であるか否かを表示すると共に駐車可能な車両の数を範囲別に異なるカラーで表示して、利用者が駐車可能な区域を容易に確認することができるようにする効果がある。
【００１２】
また、本発明は、駐車可能な駐車面の数を照明装置に設置されたカメラを利用して確認し、そのカメラを通して屋外駐車場を監視することによって、犯罪や事故の予防及び証拠資料を確保することができる効果がある。
【００１３】
さらに、本発明は、充電バッテリーを内部に含み、電気料金が安い夜明けの時間に電力を充電して使用することができるようにすることによって、コストを節減し、電力需給の安定化に寄与することができるという効果がある。
【図面の簡単な説明】
【００１４】
【図１】本発明の望ましい実施形態による屋外駐車場用ＬＥＤ照明装置のブロック構成図である。
【図２】本発明が適用される駐車場の一例を示す平面図である。
【図３】本発明の他の実施形態による屋外駐車場用ＬＥＤ照明装置のブロック構成図である。
【図４】本発明の他の実施形態による屋外駐車場用ＬＥＤ照明装置のブロック構成図である。
【図５】本発明の他の実施形態による屋外駐車場用ＬＥＤ照明装置のブロック構成図である。
【発明を実施するための形態】
【００１５】
以下、本発明の屋外駐車場用ＬＥＤ照明装置について、添付の図面を参照して詳細に説明する。
【００１６】
図１は、本発明の望ましい実施形態による屋外駐車場用ＬＥＤ照明装置のブロック構成図であり、図２は、本発明が適用された駐車場の一例を示した平面図である。
【００１７】
図１及び図２を各々参照すると、本発明の望ましい実施形態による屋外駐車場用ＬＥＤ照明装置は、周辺駐車区域Ａ〜Ｄを撮影するカメラ３０と、カメラ３０により撮影された映像を基準映像と比較して駐車可能な駐車面の数を判定する駐車面判定部１０と、駐車面判定部１０の判定結果によって補助照明部４２のカラーを異なるように表示し、主照明部４１の点灯または消灯を制御する照明制御部４０と、カメラ３０を回転させるカメラ駆動部２０と、上記各部に電源を供給する電源供給部５０と、を含んで構成される。
【００１８】
以下、上記のように構成される本発明の望ましい実施形態による屋外駐車場用ＬＥＤ照明装置の構成及び作用に対して詳細に説明する。
【００１９】
まず、図２に示したように、本発明のＬＥＤ照明装置Ａ１〜Ｄ１は、各々任意の駐車区域Ａ〜Ｄに各々設置される。ＬＥＤ照明装置Ａ１〜Ｄ１は、駐車区域Ａ〜Ｄの中央に設置されることが望ましく、相対的に高い位置に位置してその駐車区域Ａ〜Ｄを主照明部４１で照明し得る。
【００２０】
このような設置状態で、ＬＥＤ照明装置Ａ１〜Ｄ１それぞれの主照明部４１に比べて高い位置に設置されるカメラ３０は、カメラ駆動部２０により回転しながら駐車区域Ａ〜Ｄを撮影し、この時、撮影された映像情報から周期的に抽出された一つのフレームの映像が駐車面判定部１０に提供される。
【００２１】
駐車面判定部１０は、基準映像と映像を比較して駐車可能な駐車面の数を概略的に判定する。例えば、駐車不可能、駐車可能な駐車面の数が１０個面以内、２０個面以内、２０個面超過など、設定された基準値により判定し、その判定結果によって相異なる信号を出力する。
【００２２】
駐車面判定部１０の判定結果は、照明制御部４０に入力され、照明制御部４０は、駐車面判定部１０の判定結果によって定められたカラーで補助照明部４２を駆動する。
【００２３】
例えば、駐車が不可能な場合には赤色、駐車可能な駐車面の数が１０個面以内である場合はオレンジ色、２０個面以内である場合は黄色、２０個面を超過する場合は緑色の光を放出するようになる。
【００２４】
したがって、屋外駐車場を利用する利用者は、補助照明部４２のカラーを見て、駐車可能な駐車区域Ａ〜Ｄに迅速に移動して駐車することができる。
【００２５】
例えば、駐車区域Ａ、Ｂ、Ｃに設置されたＬＥＤ照明装置Ａ１、Ｂ１、Ｃ１の補助照明部４２が全て赤色で表示され、駐車区域Ｄに設置されたＬＥＤ照明装置Ｄ１の補助照明部４２が黄色である場合、利用者は２０個面程度の駐車面があるＤ区域へ移動して駐車をすることができるようになる。
【００２６】
上記の例では、カメラ駆動部２０を設置してカメラ３０を回転させると説明したが、３６０度の方向を撮影できるようにカメラ３０を複数設置する場合、カメラ駆動部２０は使用しなくてもよく、ＬＥＤ照明装置Ａ１〜Ｄ１を駐車区域Ａ〜Ｄの中央でない片隅側に位置するように区画して設置した場合にもカメラ駆動部２０は使用されないことができる。
【００２７】
主照明部４１は、照明制御部４０の制御によって点灯または消灯され、昼間には消灯された状態であり、夜間にも必要な場合のみ点灯された状態になるようにする。
【００２８】
補助照明部４２の場合には、目的によって昼間も点灯された状態になることができる。これは駐車の便宜性を確保するために、昼間にも駐車区域Ａ〜Ｄの駐車可能な駐車面の数を表示できるようにするためである。
【００２９】
図３は、本発明の他の実施形態による屋外駐車場用ＬＥＤ照明装置のブロック構成図である。
【００３０】
図３を参照すると、本発明の他の実施形態による屋外駐車場用ＬＥＤ照明装置は、図１の構成に充電バッテリー６０と、充電制御部６１をさらに含んで構成される。
【００３１】
充電バッテリー６０は、電力の消費が少なく、相対的に電気料金が安い夜明けの時間に電気の供給を受けて充電され、その充電された電力を昼間のカメラ３０の駆動または補助照明部４２を駐車面の数によって異なるカラーで点灯するのに使用することができる。
【００３２】
これは、屋外駐車場に複数で設置される本発明の電力の消費効率を上げて、コストを減らす役割を果たす。
【００３３】
図４は、本発明の他の実施形態による屋外駐車場用ＬＥＤ照明装置のブロック構成図である。
【００３４】
図４を参照すると、本発明の他の実施形態による屋外駐車場用ＬＥＤ照明装置は、図３の構成に、電気を生産して充電バッテリー６０を充電する発電部７０をさらに含んで構成される。
【００３５】
発電部７０は、本発明によるＬＥＤ照明装置が屋外に設置されて、特に周辺に高い建物がない場所に設置されるという場合を考えると、小型の発電が可能である。発電部７０の例としては、太陽光発電のためのソーラーセル(solar cell)または小型の風力発電機を使用することができる。
【００３６】
このように本発明の屋外駐車場用ＬＥＤ照明装置は、各々に発電部７０をさらに含んで構成することによって、電力の消費をより一層減らすことができる。
【００３７】
図５は、本発明の他の実施形態による屋外駐車場用ＬＥＤ照明装置のブロック構成図である。
【００３８】
図５を参照すると、本発明の他の実施形態による屋外駐車場用ＬＥＤ照明装置は、カメラ３０により撮影された映像で駐車可能な駐車面数を判定する駐車面判定部１０を使用せずに、通信部８０を通して中央制御室９０にカメラ３０により撮影された映像を送信し、その中央制御室９０で当該映像を確認してその駐車区域における駐車可能な駐車面数を判定して、その判定結果をさらに通信部８０に伝送することによって、照明制御部４０が補助照明部４２のカラーを決定して点灯されるように制御することができる。
【００３９】
この時、中央制御室９０における駐車面の判定は、駐車面判定部１０のように基準映像との比較を通して自動的に実行されてもよく、管理者が肉眼で判定して手動で制御されてもよい。
【００４０】
通信部８０は、有線または無線通信であり、各々多様な通信方式を使用することができる。特にジグビー（zigbee；登録商標）、ワイファイ（wifi；登録商標）などの無線通信方式を提供することができ、ワイファイの場合、通信部８０はアクセスポイントとして動作し得る。
【００４１】
また、本発明は、移動通信端末機の通信をサポートするための基地局装置部８１をさらに含む。最近、基地局装置は超小型化されているので、照明装置に設置が可能であり、このように基地局装置部８１を含む場合、別途の基地局設置に伴うコストが節減される効果がある。
【００４２】
以上、本発明を具体的な実施形態を参照して詳細に説明してきたが、本発明の範囲及び趣旨を逸脱することなく様々な変更が可能であるということは、当業者には明らかであり、本発明の範囲は、上述の実施形態に限定されるべきではなく、特許請求の範囲の記載及びこれと均等なものの範囲内で定められるべきものである。
【符号の説明】
【００４３】
１０：駐車面判定部
２０：カメラ駆動部
３０：カメラ
４０：照明制御部
４１：主照明部
４２：補助照明部
５０：電源供給部
６０：充電バッテリー
６１：充電制御部
７０：発電部
８０：通信部
８１：基地局装置部
９０：中央制御室
【図１】
2016531411.tif 000003
【図２】
2016531411.tif 000004
【図３】
2016531411.tif 000005
【図４】
2016531411.tif 000006
【図５】
2016531411.tif 000007
【国際調査報告】
2016531411.tif 000008
2016531411.tif 000009
2016531411.tif 000010
2016531411.tif 000011